(57)【要約】【課題】  発光管の一対の封止部が同軸でない（折れ曲がっている）場合であっても、その封止部による出射光の遮光を抑制可能な、光源ランプの製造方法および光源ランプ、並びにプロジェクターを提供することを目的とする。【解決手段】  一対の封止部１３ａ、１３ｂの端面からそれぞれ引き出された一対のリード線１５ａ、１５ｂを把持するリード線把持工程と、該把持した状態で、前記一対のリード線１５ａ、１５ｂを把持した位置Ａ、Ｂを結ぶ直線に対して、補助ミラー３０の補助反射面３１の端縁部３５を垂直に配置して、発光管１０と補助ミラー３０とを固定する補助ミラー固定工程と、リフレクター２０の反射面２１の端縁部２５に対して、発光管１０に固定された補助ミラー３０の補助反射面３１の端縁部３５を平行に配置して、発光管１０とリフレクター２０とを固定するリフレクター固定工程とを有する。【選択図】  図１
2005268155.tif 000002
【特許請求の範囲】
【請求項１】
発光部および該発光部からそれぞれ反対方向に延設された一対の封止部を具備する発光管と、該発光管の一方の封止部に固定されて前記発光部から出射された出射光を反射する反射面を具備するリフレクターと、前記発光管の他方の封止部に固定されて前記発光部から出射された出射光を前記リフレクターに反射する補助反射面を具備する補助ミラーとを有する光源ランプの製造方法であって、
前記一対の封止部の端面からそれぞれ引き出された一対のリード線を、その引き出し位置近傍で把持するリード線把持工程と、
該把持した状態で、前記一対のリード線を把持した位置を結ぶ直線に対して、前記補助ミラーの補助反射面の端縁部を垂直に配置して、前記発光管と前記補助ミラーとを固定する補助ミラー固定工程と、
前記リフレクターの反射面の端縁部に対して、前記発光管に固定された補助ミラーの補助反射面の端縁部を平行に配置して、前記発光管と前記リフレクターとを固定するリフレクター固定工程とを有することを特徴とする光源ランプの製造方法。
【請求項２】
発光部および該発光部からそれぞれ反対方向に延設された一対の封止部を具備する発光管と、該発光管の一方の封止部に固定されて前記発光部から出射された出射光を反射する反射面を具備するリフレクターと、前記発光管の他方の封止部に固定されて前記発光部から出射された出射光を前記リフレクターに反射する補助反射面を具備する補助ミラーとを有する光源ランプであって、
前記一対の封止部の端面からそれぞれ引き出された一対のリード線の互いの引き出し位置近傍を結ぶ直線に対して、前記補助ミラーの補助反射面の端縁部が垂直に配置されて前記発光管と前記補助ミラーとが固定され、
さらに、前記リフレクターの反射面の端縁部に対して前記発光管に固定された補助ミラーの補助反射面の端縁部が平行に配置されて前記発光管と前記リフレクターとが固定されていることを特徴とする光源ランプ。
【請求項３】
前記補助ミラーが、補助反射面を形成する本体部と、該本体部に連なり前記発光管との固定に供される固定用首状部とを具備することを特徴とする請求項２記載の光源ランプ。
【請求項４】
請求項２記載の光源ランプを備えた照明光学系と、色光を入射して所定の情報に基づいて画像を生成する光変調装置と、その画像を投写する投写レンズとを備えていることを特徴とするプロジェクター。
【発明の詳細な説明】
【技術分野】
【０００１】
本発明は、リフレクターと補助ミラーとを有する光源ランプ、およびその製造方法、並びにその光源ランプを備えたプロジェクターに関する。
【背景技術】
【０００２】
図６は従来のプロジェクター等の光源ランプユニットに設置された光源ランプの構成を示す断面図である。図６において、光源ランプ９は、発光管１０、リフレクター２０および補助ミラー４０を有している。
発光管１０は、中央部に膨出した発光部１１と、発光部１１の両側に延びる円柱部１３ａ、１３ｂ（以下、封止部と称す）とを有し、一方の封止部１３ａ（以下「後側封止部」と称す）の端部にはコップ状の口金１６が設置されている。
【０００３】
リフレクター２０は、発光管１０の後側封止部１３ａに固定された反射素子であって、発光管１０から発した光と補助ミラー４０において反射した光とを、前側（図中、右方向）に出射している。
リフレクター２０は、球面または非球面等の凹面２１（以下、反射面と称す）と、反射面２１を形成する略錐体状部分２２（以下「カップ部」と称す）と、カップ部２２の中心から反射面２１の反対側（凸面側）に延設された筒状部２３（以下「ネック部」と称す）と、反射面２１の回転中心と同軸でネック部２３を貫通するセンターホール２４とを具備し、カップ部２２とネック部２３とは耐熱ガラスによって一体的に漏斗状に形成されている。
そして、発光管１０の後側封止部１３ａ（口金１６が設置されている）がリフレクター２０のセンターホール２４に挿入され、後側封止部１３ａおよび口金１６の外周と、センターホール２４の内周との隙間に無機接着剤６０が注入され、両者は接着固定されている。
【０００４】
補助ミラー４０は、リフレクター２０に対峙して設置され、発光管１０から発した光をリフレクター２０に向けて反射するものであって、球面または非球面等の凹面４１（以下、補助反射面と称す）と、補助反射面４１を形成する略錐体状部分４２（以下「本体部」と称す）と、補助反射面４１の回転中心を貫通する中心孔４４とを具備している。
そして、補助ミラー４０の中心孔４４に発光管１０の他方の封止部１３ｂ（以下「前側封止部」と称す）が挿入され、両者の位置が調整された状態で、中心孔４４の内周と前側封止部１３ｂの外周との隙間５２（以下「本体部隙間」と称す）に無機接着剤５０（セメントに同じ）が注入され、両者は接着固定されている。（例えば、特許文献１参照。）
【特許文献１】特開平８−３１３８２号公報（２頁、図１）
【発明の開示】
【発明が解決しようとする課題】
【０００５】
図７は従来のプロジェクター等の光源ランプユニットに設置された光源ランプの製造方法を示す模式図であって、（ａ）は発光管と補助ミラーとを接合する工程を、（ｂ）は発光管とリフレクターとを接合する工程をそれぞれ示している。なお、図７は、後側封止部１３ａと前側封止部１３ｂとが同一直線上にない（同軸でない）場合、すなわち、発光部１１において折れ曲がっている場合を誇張して示している。
まず、発光管１０に設置された口金１６の端面１７（図中、「位置Ａ」を含む面）を基準面にして、該基準面と補助ミラー４０の補助反射面４１の端縁部４５（図中、「位置Ｇ」および「位置Ｈ」を含む面）との平行度を保証して、発光管１０と補助ミラー４０とを接合する。
そして、同様に、口金１６の端面１７を基準面にして、該基準面とリフレクター２０の端縁部２５（図中、「位置Ｄ」および「位置Ｅ」を含む面）との平行度を保証して、発光管１０とリフレクター２０とを接合する。
【０００６】
したがって、補助ミラー４０の端縁部４５（「位置Ｇ」および「位置Ｈ」を含む面）とリフレクター２０の端縁部２５（「位置Ｄ」および「位置Ｅ」を含む面）とは互いに平行に配置されている。
しかしながら、前側封止部１３ｂの姿勢が、リフレクター２０や補助ミラー４０との関係において考慮されないため、後側封止部１３ａと前側封止部１３ｂとが同軸でない（折れ曲がっている）場合、前側封止部１３ｂの一部１８（図中、「位置Ｉ」を含む斜線を付した範囲）が、出射光の範囲に侵入して出射光が一部遮られる「遮光現象」が生じるおそれがあるという問題があった。
【０００７】
本発明は上記問題に鑑みてなされたものであって、発光管の後側封止部と前側封止部とが同軸でない（折れ曲がっている）場合であっても、前記「遮光現象」をできるだけ抑制する、光源ランプの製造方法および該製造方法によって製造された光源ランプ、並びに該光源ランプを有するプロジェクターを提供することを目的とする。
【課題を解決するための手段】
【０００８】
本発明の光源ランプの製造方法は、発光部および該発光部からそれぞれ反対方向に延設された一対の封止部を具備する発光管と、該発光管の一方の封止部に固定されて前記発光部から出射された出射光を反射する反射面を具備するリフレクターと、前記発光管の他方の封止部に固定されて前記発光部から出射された出射光を前記リフレクターに反射する補助反射面を具備する補助ミラーとを有する光源ランプの製造方法であって、
前記一対の封止部の端面からそれぞれ引き出された一対のリード線を、その引き出し位置近傍で把持するリード線把持工程と、
該把持した状態で、前記一対のリード線を把持した位置を結ぶ直線に対して、前記補助ミラーの補助反射面の端縁部を垂直に配置して、前記発光管と前記補助ミラーとを固定する補助ミラー固定工程と、
前記リフレクターの反射面の端縁部に対して、前記発光管に固定された補助ミラーの補助反射面の端縁部を平行に配置して、前記発光管と前記リフレクターとを固定するリフレクター固定工程とを有することを特徴とする。
これによれば、発光管の後側封止部と前側封止部とが同軸でない（折れ曲がっている）場合であっても、出射光の封止部による遮光が防止される。これは、補助ミラーの補助反射面の端縁部によって成される面が、後側封止部と前側封止部との略対称面、すなわち、後側封止部の軸心と前側封止部の軸心とがそれぞれ略同一の角度で交差する面になり、さらに、該略対称面（補助ミラーの補助反射面の端縁部によって形成される面）が、リフレクターの反射面の端縁部に対して平行に配置されるため、前側封止部の一部が出射光の範囲に侵入することが防止される。
【０００９】
また、本発明の光源ランプは、発光部および該発光部からそれぞれ反対方向に延設された一対の封止部を具備する発光管と、該発光管の一方の封止部に固定されて前記発光部から出射された出射光を反射する反射面を具備するリフレクターと、前記発光管の他方の封止部に固定されて前記発光部から出射された出射光を前記リフレクターに反射する補助反射面を具備する補助ミラーとを有し、
前記一対の封止部の端面からそれぞれ引き出された一対のリード線の互いの引き出し位置近傍を結ぶ直線に対して、前記補助ミラーの補助反射面の端縁部が垂直に配置されて前記発光管と前記補助ミラーとが固定され、
さらに、前記リフレクターの反射面の端縁部に対して前記発光管に固定された補助ミラーの補助反射面の端縁部が平行に配置されて前記発光管と前記リフレクターとが固定されていることを特徴とする。
これによれば、発光管の後側封止部と前側封止部とが同軸でない（折れ曲がっている）場合であっても、出射光の封止部による遮光が防止される。これは、補助ミラーの補助反射面の端縁部によって成される面が、後側封止部と前側封止部との略対称面、すなわち、後側封止部の軸心と前側封止部の軸心とがそれぞれ略同一の角度で交差する面になり、さらに、該略対称面（補助ミラーの補助反射面の端縁部によって形成される面）が、リフレクターの反射面の端縁部に対して平行に配置されるため、前側封止部の一部が出射光の範囲に侵入することが防止される。
【００１０】
また、前記補助ミラーが、補助反射面を形成する本体部と、該本体部に連なり前記発光管との固定に供される固定用首状部とを具備することを特徴とする。
これによれば、所定長さの固定用首状部に発光管の前側封止部を挿入して両者を固定することができるから、補助ミラーの設置作業が安定になると共に、接着剤の接着面積が拡大し、固定精度および固定強度が保証される。さらに、発光管の後側封止部と前側封止部とが同軸でない（折れ曲がっている）場合であっても、前側封止部あるいは固定用首状部による出射光の遮光が防止される。
【００１１】
さらに、本発明のプロジェクターは、前記光源ランプを備えた照明光学系と、色光を入射して所定の情報に基づいて画像を生成する光変調装置と、その画像を投写する投写レンズとを備えていることを特徴とする。
これにより、光源ランプに「遮光現象」が発生しないから、該光源ランプが設置されているプロジェクターは、投写画像に局所的な黒点（暗点）や照度ムラがない良質な画像環境を提供することができる。
【発明を実施するための最良の形態】
【００１２】
以下、本発明の実施形態１として光源ランプを、実施形態２として光源ランプの製造方法を、実施形態３としてプロジェクターを、それぞれ図を参照しながら説明する。なお、前記の図６、７および以下の各図において同じ部分または相当する部分にはそれぞれ同じ符号を付し、一部の説明を省略する。
【００１３】
［実施形態１］
（光源ランプその１）
図１は本発明の実施形態１に係る光源ランプの構成を示すものであって、（ａ）は光源ランプの断面図、（ｂ）は補助ミラーの側面図、（ｃ）は発光管の断面図である。図１において、光源ランプ１は、発光管１０とリフレクター２０と補助ミラー３０とを備えている。
【００１４】
発光管１０は例えば水銀ランプであり、石英ガラス等によって形成され、中央の発光部１１と、発光部１１の両側に延設された後側封止部１３ａと前側封止部１３ｂとを有する。発光部１１の内部には、水銀、希ガスおよび少量のハロゲン等が封入され、タングステンによって形成された後側電極１２ａと前側電極１２ｂとが配置されている。後側封止部１３ａおよび前側封止部１３ｂには、それぞれ後側電極１２ａおよび前側電極１２ｂに接続されたモリブデンによって形成された後側金属箔１４ａおよび前側金属泊１４ｂが密封され、後側金属箔１４ａおよび前側金属泊１４ｂには外部に繋がる後側リード線１５ａおよび前側リード線１５ｂがそれぞれ設けられている。
なお、発光管１０は水銀ランプに限られるものではなく、メタルハライドランプやキセノンランプ等でもよい。
【００１５】
リフレクター２０は、発光管１０の後側封止部１３ａに固定された該照明光学系における反射素子であって、球面または非球面等の凹面２１（以下、反射面と称す）と、反射面２１を形成する略錐体状部分２２（以下、カップ部と称す）と、カップ部２２の中心から反射面２１の反対側（凸面側）に延設された筒状部２３（以下、ネック部と称す）と、反射面２１の回転中心と同軸でネック部２３を貫通するセンターホール２４とを具備し、カップ部２２とネック部２３は耐熱ガラス（例えば、石英管）によって一体的に漏斗状に形成されている。
そして、発光管１０の後側封止部１３ａがリフレクター２０のセンターホール２４に挿入され、封止部１３ａの外周とセンターホール２４の内周との隙間に無機接着剤６０が注入され硬化している。
【００１６】
補助ミラー３０は、発光管１０の出射光をリフレクター２０に向けて反射するものであって、球面または非球面等の凹面３１（以下、補助反射面と称す）と、補助反射面３１を形成する略錐体状部分３２（以下、本体部と称す）と、本体部３２の中心から補助反射面３１の反対側（凸面側）に延設された筒状部３３（以下、固定用首状部と称す）と、補助反射面３１の回転中心と同軸で固定用首状部３３を貫通する中心孔３４とを具備している。また、本体部３２と固定用首状部３３は耐熱ガラス（例えば、石英管）によって一体的に略漏斗状に形成されている。この中心孔３４の内周と前側封止部１３ｂの外周との隙間５１（以下、首状部隙間と称す）に無機接着剤５０が注入されて、補助ミラー３０が発光管１０の前側封止部１３ｂに固定されている。
【００１７】
そして、補助ミラー３０の発光管１０への固定が、後側リード線１５ａの後側引き出し位置Ａと前側リード線１５ｂの前側引き出し位置Ｂとを結ぶ直線を基準線にして、該基準線に対して補助ミラー３０の補助反射面３１の端縁部３５（「位置Ｇ」および「位置Ｈ」を含む面に同じ）が垂直に配置されて、発光管１０と補助ミラー３０とが固定され、さらに、リフレクター２０の反射面２１の端縁部２５（「位置Ｄ」および「位置Ｅ」を含む面）を基準面にして、該基準面に対して発光管１０に固定された補助ミラー３０の補助反射面３１の端縁部３５が平行に配置されて、発光管１０とリフレクター２０とが固定されたものである（これについては別途詳細に説明する）。
【００１８】
以上の構成によれば、補助ミラー３０の補助反射面３１の端縁部３５によって成される面が、後側封止部１３ａと前側封止部１３ｂとの略対称面、すなわち、後側封止部１３ａの軸心と前側封止部１３ｂの軸心とがそれぞれ略同一の角度で交差する面になり、さらに、補助ミラー３０の端縁部３５によって形成される面がリフレクター２０の反射面２１の端縁部２５に対して平行に配置されるため、前側封止部１３ｂの一部が出射光の範囲に侵入することが防止される。
つまり、後側封止部１３ａと前側封止部１３ｂとの折れ曲がり角度の半分が、後側封止部１３ａの軸心とリフレクタ２０の端縁部２５との角度に、また、該折れ曲がり角度の残りの半分が、前側封止部１３ｂの軸心と補助ミラー３０の端縁部３５との角度に、それぞれ按分されている。
したがって、発光管１０の後側封止部１３ａと前側封止部１３ｂとが同軸でない（折れ曲がっている）場合であっても、前側封止部１３ｂによる出射光の遮光が防止される。
【００１９】
（光源ランプその２）
図２は本発明の実施形態１に係る光源ランプのその他の構成を示す断面図である。図２において、光源ランプ２は、発光管１０とリフレクター２０と補助ミラー４０（固定用首状部を具備しない）とを備え、発光管１０の後側封止部１３ａの端部に口金１６が設置されている。この補助ミラー４０はネック部を具備しないタイプのものである。
【００２０】
そして、補助ミラー４０の発光管１０への固定が、後側リード線１５ａの後側引き出し位置Ａと前側リード線１５ｂの前側引き出し位置Ｂとを結ぶ直線を基準線にして、該基準線に対して補助ミラー４０の補助反射面４１の端縁部４５（「位置Ｇ」および「位置Ｈ」を含む面に同じ）が垂直に配置されて、発光管１０と補助ミラー４０とが固定され、さらに、リフレクター２０の反射面２１の端縁部２５（「位置Ｄ」および「位置Ｅ」を含む面を基準面にして、該基準面に対して発光管１０に固定された補助ミラー４０の補助反射面４１の端縁部４５が平行に配置されて、発光管１０とリフレクター２０とが固定されたものである。
したがって、前述の光源ランプ１（図１参照）と同様に、光源ランプ２において、発光管１０の後側封止部１３ａと前側封止部１３ｂとが同軸でない（折れ曲がっている）場合であっても、前側封止部１３ｂによる出射光の遮光が防止される。また、前記固定に際して、口金６を基準にしないため、光源ランプ２から口金１６を撤去してもよい。
【００２１】
［実施形態２］
（光源ランプの製造方法）
図３および図４は、本発明の実施形態２に係る光源ランプの製造方法を示す、図３はフロー図、図４は模式図である。図３および図４において、光源ランプの製造方法は、
後側リード線１５ａの後側引き出し位置Ａに近い位置および前側リード線１５ｂの前側引き出し位置Ｂに近い位置を把持するリード線把持工程（図３のステップ１）と、
該把持した状態で、一対の把持した位置を結ぶ直線を基準線（後側引き出し位置Ａと前側引き出し位置Ｂとを結ぶ直線に略同じ）にして、該基準線に対して補助ミラー３０の補助反射面３１の端縁部３５（「位置Ｇ」および「位置Ｈ」を含む面に同じ）を垂直に配置して、発光管１０と補助ミラー３０とを固定する補助ミラー固定工程（図３のステップ２、図４の（ａ））と、
リフレクター２０の反射面２１の端縁部２５（「位置Ｄ」および「位置Ｅ」を含む面に同じ）を基準面にして、該基準面に対して前記発光管１０に固定された補助ミラー３０の補助反射面３１の端縁部３５を平行に配置し、発光管１０とリフレクター２０とを固定するリフレクター固定工程（図３のステップ３、図４の（ｂ））とを有する。
【００２２】
すなわち、補助ミラー３０の発光管１０への固定が、後側リード線１５ａの後側引き出し位置Ａと前側リード線１５ｂの前側引き出し位置Ｂとを結ぶ直線に略同じ線を基準線にして、該基準線に対して補助ミラー３０の補助反射面３１の端縁部３５（「位置Ｇ」および「位置Ｈ」を含む面に同じ）が垂直に配置されて、発光管１０と補助ミラー３０とが固定される。
したがって、発光管１０の後側封止部１３ａと前側封止部１３ｂとが同軸でない（折れ曲がっている）場合、補助ミラー３０の補助反射面３１の端縁部３５によって成される面が、後側封止部１３ａと前側封止部１３ｂとの略対称面、すなわち、後側封止部１３ａの軸心と前側封止部１３ｂの軸心とがそれぞれ略同一の角度で交差する面になる。
【００２３】
そして、補助ミラー３０の端縁部３５によって形成される面が、リフレクター２０の反射面２１の端縁部２５に対して平行に配置されるから、後側封止部１３ａと前側封止部１３ｂとの折れ曲がり角度の半分が、後側封止部１３ａの軸心とリフレクタ２０の端縁部２５との傾きに、また、該折れ曲がり角度の残りの半分が、前側封止部１３ｂの軸心と補助ミラー３０の端縁部３５との傾きに、それぞれ按分されたことになる。
よって、発光管１０の後側封止部１３ａと前側封止部１３ｂとが同軸でない（折れ曲がっている）場合であっても、前側封止部１３ｂの前側端部（「位置Ｉ」に同じ）はリフレクタ２０の中央に近い位置にあるから、その一部が出射光の範囲に侵入することが防止され、前側封止部１３ｂによる出射光の遮光現象が生じない。
なお、以上は、光源ランプ１を例に説明しているが、光源ランプ２（図２参照）も同様に製造されるものである。
【００２４】
また、図４の（ａ）に記載した「直角度０．５」とは、基準線（位置Ａと位置Ｂとを結ぶ直線に同じ）に対する端縁部３５の「直角からの偏位量」を規定するものである。すなわち、端縁部３５上のある位置（たとえば、位置Ｇ）を含む基準線に直角な面と、端縁部３５上のこれに対角の位置（たとえば、位置Ｈ）を含む基準線に直角な面との間隔が、端縁部３５上の何れの位置についても０．５ｍｍ以下であることを意味している。なお、図４の（ａ）に示す０．５ｍｍは一例であって、これに限定すものではない。
一方、図４の（ｂ）に記載した「平行度０．５」とは、基準面（リフレクター２０の端縁部２５（位置Ｄおよび位置Ｅを含む面）に同じ）に対する端縁部３５の「平行からの偏位量」を規定するものである。すなわち、端縁部３５上のある位置（たとえば、位置Ｇ）を含む基準面に平行な面と、端縁部３５上のこれに対角の位置（たとえば、位置Ｈ）を含む基準面に平行な面との間隔が、端縁部３５上の何れの位置についても０．５ｍｍ以下であることを意味している。なお、図４の（ｂ）に示す０．５ｍｍは一例であって、これに限定すものではない。
【００２５】
［実施形態３］
（プロジェクターの構造）
図５は本発明の実施形態３に係るプロジェクター１００の構成図である。図６において、プロジェクター１００は、照明光学系３００と、色光分離光学系３８０と、リレー光学系３９０と、液晶パネル４１０Ｒ、４１０Ｇ、４１０Ｂと、クロスダイクロイックプリズム４２０と、投写レンズ６００等を備えている。
そして、照明光学系３００には、上述した実施形態１に説明した光源ランプ１が設置されている。以下に、プロジェクター１００の作用を説明する。
【００２６】
照明光学系３００は、液晶パネル４１０Ｒ、４１０Ｇ、４１０Ｂの画像形成領域をほぼ均一に照明するためのインテグレータ照明光学系であり、光源ランプ１と、第１レンズアレイ３２０と、第２レンズアレイ３４０と、偏光変換素子アレイ３６０と、重畳レンズ３７０とを備える。
まず、光源ランプ１の発光管１０からの出射光は直接または一旦補助ミラー３０によって反射された後、リフレクター２０によって反射されて、凹レンズ２００に入り光の進行方向が照明光学系３００の光軸とほぼ平行に調整される。
【００２７】
平行化された光は、第１レンズアレイ３２０の各小レンズ３２１に入射し、小レンズ３２１の数に応じた複数の部分光束に分割される。さらに、第１レンズアレイ３２０を出た各部分光束は、その各小レンズ３２１にそれぞれ対応した小レンズ３４１を有してなる第２レンズアレイ３４０に入射する。
【００２８】
そして、第２レンズアレイ３４０からの出射光は、光の偏向方向を同じ種類の直線偏光光にそろえる偏光変換素子アレイ３６０に入射する。そして、偏光変換素子アレイ３６０で偏光方向が揃えられた複数の部分光束は重畳レンズ３７０に入り、そこで液晶パネル４１０Ｒ、４１０Ｇ、４１０Ｂに入射する各部分光束が、対応するパネル面上で重さなり合うように調整される。
【００２９】
重畳レンズ３７０を出た光は、反射ミラー３７２で反射された後、色光分離光学系３８０に入射する。色光分離光学系３８０は、照明光学系３００から射出された光を、赤、緑、青の３色の色光に分離する光学系であり、ダイクロイックミラー３８２、３８６と、反射ミラー３８４とを備える。
第１ダイクロイックミラー３８２は、重畳レンズ３７０から射出される光のうち赤色光成分を透過させるとともに、青色光成分と緑色光成分とを反射する。そして、赤色光成分は第１ダイクロイックミラー３８２を透過して反射ミラー３８４で反射され、フィールドレンズ５１０Ｒを通って赤色光用の液晶パネル４１０Ｒに達する。また、第１ダイクロイックミラー３８２で反射された青色光成分および緑色光成分のうち緑色光成分は第２ダイクロイックミラー３８６で反射され、フィールドレンズ５１０Ｇを通って緑色光用の液晶パネル４１０Ｇに達する。
【００３０】
一方、青色光成分は、第２ダイクロイックミラー３８６を透過し、リレー光学系３９０に入射する。リレー光学系３９０は、色光分離光学系３８０のダイクロイックミラー３８６を透過した青色光を液晶パネル４１０Ｂまで導く機能を有する光学系であり、入射側レンズ３９２と、リレーレンズ３９６と、反射ミラー３９４、３９８とを備える。
すなわち、青色光成分は、入射側レンズ３９２、反射ミラー３９４、リレーレンズ３９６、及び反射ミラー３９８を通り、さらにフィールドレンズ５１０Ｂを通って青色光用の液晶パネル４１０Ｂに達する。
なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ５１０Ｂに伝えるためである。また、リレー光学系３９０は、３つの色光のうちの青色光を通す構成としたが、赤色光等の他の色光を通す構成としてもよい。
【００３１】
続いて、３つの液晶パネル４１０Ｒ、４１０Ｇ、４１０Ｂが、そこに入射した各色光を与えられた画像情報に従って変調し、各色光の画像を形成する。なお、各液晶パネル４１０Ｒ、４１０Ｇ、４１０Ｂの光入射面側、光出射面側には、通常、偏光板が設けられている。
【００３２】
続いて、各液晶パネル４１０Ｒ、４１０Ｇ、４１０Ｂから射出された各色光の変調光は、これらの変調光を合成してカラー画像を形成する色光合成光学系としてのクロスダイクロイックプリズム４２０に入射する。クロスダイクロイックプリズム４２０には、赤色光を反射する誘電体多層膜と、青色光を反射する誘電体多層膜とが、４つの直角プリズムの界面に略Ｘ字状に形成され、これらの誘電体多層膜によって３つの色光が合成される。
【００３３】
そして、クロスダイクロイックプリズム４２０から射出されたカラー画像が、投写レンズ６００によってスクリーン上に拡大投写される。
【００３４】
このプロジェクター１００は、上述の製造方法によって製造される光源ランプ１を備えているから、良質な投写画像が提供されることになる。すなわち、発光管の一対の封止部が同軸でない（折れ曲がっている）場合であっても、発光管の封止部の一部が出射光の範囲に侵入することが防止され、前側封止部１３ｂによる出射光の遮光現象が防止されるため、投写画像に局所的な黒点（暗点）や照度ムラが生じることがない。
なお、光源ランプ１に代えて、光源ランプ２を設置しても同様の作用、効果が得られるものである。
【００３５】
さらに、本発明のプロジェクター１００は、上記実施形態に限られるものではなく、その要旨を逸脱しない範囲において種々の態様において実施することが可能であり、例えば次のような変形も可能である。
上記実施形態では、光源ランプ１ないし２のいずれかの光を、複数の部分光束に分割する２つのレンズアレイ３２０、３４０を用いていたが、本発明は、このようなレンズアレイを用いないプロジェクターにも適用可能である。
【００３６】
上記実施形態では、透過型の液晶パネルを用いたプロジェクターを例に説明したが、本発明はこれに限定するものではなく、反射型の液晶パネルを用いたプロジェクターにも適用することが可能である。
反射型の液晶パネルを用いたプロジェクターの場合、液晶パネルのみによって構成することが可能であり、一対の偏光板は不要である。また、反射型の液晶パネルを用いたプロジェクターでは、クロスダイクロイックプリズムは、照明光を赤、緑、青の３色の光に分離する色光分離手段として利用されると共に、変調された３色の光を再度合成して同一の方向に出射する色光合成手段としても利用される場合がある。
【００３７】
また、クロスダイクロイックプリズムではなく、三角柱や四角柱状のダイクロイックプリズムを複数組み合わせたダイクロイックプリズムを用いる場合もある。反射型の液晶パネルを用いたプロジェクターに本発明を適用した場合にも、透過型の液晶パネルを用いたプロジェクターとほぼ同様な効果を得ることができる。
また、変調装置として液晶パネルを３枚利用したプロジェクターを例に説明したが、液晶パネルを１枚、２枚、あるいは４枚以上使用する構成のプロジェクターにも、本発明は適用できる。
【００３８】
また、入射光を変調して画像を生成する光変調装置は液晶パネルに限られるものではなく、例えば、マイクロミラーを用いた装置であってもよい。さらに、本発明の光源ランプは、投写面を観察する方向から画像投写を行なう前面投写型プロジェクター、または投写面を観察する方向とは反対側から画像投写を行なう背面投写型プロジェクターのいずれのプロジェクターにも適用可能である。
【産業上の利用可能性】
【００３９】
以上のように本発明の光源ランプおよびその製造方法は、プロジェクターあるいはその他各種光学装置の光源ランプおよびその製造方法として広く利用することができる。
【図面の簡単な説明】
【００４０】
【図１】本発明の実施形態１に係る光源ランプの構成を示す断面図。
【図２】本発明の実施形態１に係る光源ランプのその他の構成を示す断面図。
【図３】本発明の実施形態２に係る光源ランプの製造方法を示すフロー図。
【図４】本発明の実施形態２に係る光源ランプの製造方法を示す模式図。
【図５】本発明の実施形態３に係るプロジェクターの構成図。
【図６】従来の光源ランプの構成を示す断面図。
【図７】従来の光源ランプの製造方法を示す模式図。
【符号の説明】
【００４１】
１…光源ランプ、２…光源ランプ、１０…発光管、１１…発光部、１２ａ…後側電極、１２ｂ…前側電極、１３ａ…後側封止部、１３ｂ…前側封止部、１４ａ…後側金属箔、１４ｂ…前側金属箔、１５ａ…後側リード線、１５ｂ…前側リード線、２０…リフレクター、２１…反射面、２２…カップ部、２３…ネック部、２４…センターホール、２５…端縁部、３０…補助ミラー、３１補助反射面、３２…本体部、３３…固定用首状部、３４…中心孔、３５…端縁部、４０…補助ミラー、４１…補助反射面、４２…本体部、４４…中心孔、４５…端縁部、５０…無機接着剤、５１…首状部隙間、５２…本体部隙間、５０…無機接着剤、６０…無機接着剤、１００…プロジェクター、１２０…レンズアレイ、２００…凹レンズ、３００…照明光学系、３２０…第１レンズアレイ、３４０…第２レンズアレイ、３６０…偏光変換素子アレイ、３７０…重畳レンズ、３７２…反射ミラー、３８０…色光分離光学系、３８２…ダイクロイックミラー、３８４…反射ミラー、３８６…ダイクロイックミラー、３９０…リレー光学系、３９２…入射側レンズ、３９４…反射ミラー、３９６…リレーレンズ、３９８…反射ミラー、４１０Ｂ…液晶パネル、４１０Ｇ…液晶パネル、４１０Ｒ…液晶パネル、４２０…クロスダイクロイックプリズム、５１０Ｂ…フィールドレンズ、５１０Ｇ…フィールドレンズ、５１０Ｒ…フィールドレンズ、６００…投写レンズ。
【図１】
2005268155.tif 000003
【図２】
2005268155.tif 000004
【図３】
2005268155.tif 000005
【図４】
2005268155.tif 000006
【図５】
2005268155.tif 000007
【図６】
2005268155.tif 000008
【図７】
2005268155.tif 000009